(57)【要約】  受信エリア（１０４）において第１のブロードキャスト送信信号を送信するためのメイン送信機（１００）と、第１のブロードキャスト送信信号（１０２）を受信し、第１のブロードキャスト送信信号の受信に応答して、第２のブロードキャスト送信信号（１１０）を送信するように適合される受信機（１０６）と、を備える送信構成が提案される。第１のブロードキャスト送信信号（１０２）は、後続の複数の第１の情報パケット（ＩＰＭＴ１、ＩＰＭＴ２、ＩＰＭＴ３…）を含む。後続の複数の第１の情報パケット（ＩＰＭＴｉ）は、実質的に同じ情報を含む少なくとも２つの後続の情報ブロック（ＩＢＭＴｉ．１、ＩＢＭＴｉ．２）を含む。第２のブロードキャスト送信信号は、後続の複数の第２の情報パケット（ＩＰＲＳ１、ＩＰＲＳ２、ＩＰＲＳ３…）を含む。後続の複数の第２の情報パケット（ＩＰＲＳｉ）は、少なくとも１つの情報ブロック（ＩＢＲＳｉ）を含む。第２のブロードキャスト送信信号（１１０）の複数の第２の情報パケット（ＩＰＲＳｉ）は、適時に、第１のブロードキャスト送信信号の複数の第１の情報パケット（ＩＰＭＴｉ）と実質的に同じ長さであり、複数の第２の情報パケットの複数の情報ブロック（ＩＢＲＳｉ）は、適時に、複数の第１の情報パケットの複数の情報ブロック（ＩＢＭＴｉ，ｊ）と実質的に同じ長さである。受信機（１０６）は、適時に、第１のブロードキャスト送信信号の複数の第１の情報パケットの複数の情報ブロック（ＩＢＭＴｉ．２、ＩＢＭＴｉ＋１．２…）が適時に第２のブロードキャスト送信信号の複数の第２の情報パケットの少なくとも複数の第１の情報ブロック（ＩＢＲＳｉ、ＩＢＲＳｉ＋１…）と相関するように、第２のブロードキャスト送信信号を送信するようにさらに適合される。この結果、受信機の受信エリアによって、メイン送信機の受信エリアが拡大する。
2016513897.tif 000002
【特許請求の範囲】
【請求項１】
第１のブロードキャスト送信信号を送信する送信構成であって、
受信エリアにおいて前記第１のブロードキャスト送信信号を送信するためのメイン送信機を備え、
前記メイン送信機は、後続の複数の第１の情報パケットの形で第１のブロードキャスト送信信号を送信し、後続の複数の第１の情報パケットは、実質的に同じ情報を含む少なくとも２つの後続の情報ブロックを含み、
前記送信構成は、少なくとも１つの受信機をさらに備え、前記少なくとも１つの受信機は、前記第１のブロードキャスト送信信号を受信し、前記第１のブロードキャスト送信信号の前記受信に応答して第２のブロードキャスト送信信号を送信し、前記第２のブロードキャスト送信信号は、後続の複数の第２の情報パケットの形であり、後続の複数の第２の情報パケットは、少なくとも１つの情報ブロックを含み、前記第２のブロードキャスト送信信号の前記複数の第２の情報パケットは、適時に、前記第１のブロードキャスト送信信号の前記複数の第１の情報パケットと実質的に同じ長さであり、前記複数の第２の情報パケットの複数の前記情報ブロックは、適時に、前記複数の第１の情報パケットの前記複数の情報ブロックと実質的に同じ長さであり、前記受信機は、前記第１のブロードキャスト送信信号の前記複数の第１の情報パケットの複数の第２の情報ブロックが、前記第２のブロードキャスト送信信号の前記複数の第２の情報パケットの少なくとも複数の第１の情報ブロックと適時に相関するように、前記第２のブロードキャスト送信信号を適時に送信する、
送信構成。
【請求項２】
前記第１のブロードキャスト送信信号の前記複数の第１の情報パケットの前記複数の第２の情報ブロックと、前記複数の第１の情報パケットの前記複数の第２の情報ブロックと適時に相関する第２のブロードキャスト送信信号の前記複数の第２の情報パケットの前記少なくとも複数の第１の情報ブロックが、第２の受信エリアにおいて数が合うように適時に、かつそのような段階に、前記受信機は、前記第２の受信エリアにおいて前記第２のブロードキャスト送信信号を送信する、請求項１に記載の送信構成。
【請求項３】
前記第１のブロードキャスト送信信号の前記複数の第１の情報パケットは、実質的に等しい情報コンテンツの２つの情報ブロックを含み、前記第２のブロードキャスト送信信号の前記複数の第２の情報パケットは、１つの情報ブロックを含む、請求項１または２に記載の送信構成。
【請求項４】
前記第１のブロードキャスト送信信号の前記複数の第１の情報パケットは、実質的に等しい情報コンテンツの３つの情報ブロックを含み、前記第２のブロードキャスト送信信号の前記複数の第２の情報パケットは、実質的に等しい情報コンテンツの２つの情報ブロックを含む、請求項１または２に記載の送信構成。
【請求項５】
前記メイン送信機及び前記少なくとも１つの受信機は、単一周波数ネットワークにおいて複数の送信機として動作する、請求項１から４のいずれか１項に記載の送信構成。
【請求項６】
フラグが、第１の情報パケットの第１の情報ブロックに割り当てられ、該情報ブロックが前記第１の情報パケットの前記第１の情報ブロックであることを示す、請求項１から３のいずれか１項に記載の送信構成。
【請求項７】
フラグが、第１の情報パケットの第２の情報ブロックに割り当てられ、該情報ブロックが前記第１の情報パケットの前記第２の情報ブロックであることを示す、請求項４に記載の送信構成。
【請求項８】
請求項１から７のいずれか１項に記載の送信構成におけるメイン送信機であって、前記メイン送信機を特徴付ける該請求項に記載の複数の要素を特徴とする、メイン送信機。
【請求項９】
請求項１から７のいずれか１項に記載の送信構成において用いられるメイン送信機であって、
ａ．情報信号を受信するための入力端子と、
ｂ．前記情報信号を複数の後続の情報ブロックに符号化するための符号化ユニットと、
ｃ．前記複数の情報ブロックを特定の時間間隔だけ遅延させるための遅延ユニットと、
ｄ．前記複数の情報ブロック及び複数の遅延化された情報ブロックをシリアルデータストリームに多重化するための多重化ユニットと、
ｅ．前記シリアルデータストリームを前記第１のブロードキャスト送信信号として供給するための出力端子と、
を備える、メイン送信機。
【請求項１０】
前記遅延ユニットは、情報ブロックを前記時間間隔だけ一度遅延させ、前記多重化ユニットは、前記情報ブロック及びその遅延化されたバージョンを、前記シリアルデータストリームにおいて互いの直後に多重化する、請求項９に記載のメイン送信機。
【請求項１１】
前記遅延ユニットは、情報ブロックを第１の時間間隔だけ一度、さらに第２の時間間隔だけ遅延させ、前記多重化ユニットは、前記情報ブロック、その前記第１の時間間隔だけ遅延化されたバージョン、及びさらにその前記第２の時間間隔だけ遅延化されたバージョンを、前記シリアルデータストリームにおいて互いの後で多重化する、請求項９に記載のメイン送信機。
【請求項１２】
前記メイン送信機は、フラグ生成ユニットをさらに備え、前記多重化ユニットは、前記符号化ユニットの前記複数の情報ブロックにフラグを割り当て、これらを前記シリアルデータストリームに含める、請求項１０または１１に記載のメイン送信機。
【請求項１３】
前記メイン送信機は、フラグ生成ユニットをさらに備え、前記多重化ユニットは、前記符号化ユニットの前記第１の時間間隔だけ遅延化された複数の情報ブロックにフラグを割り当て、これらを前記シリアルデータストリームに含める、請求項１１に記載のメイン送信機。
【請求項１４】
請求項１から７のいずれか１項に記載の送信構成における受信機であって、前記受信機を特徴付ける該請求項に記載の複数の要素を特徴とする、受信機。
【請求項１５】
前記受信機は、モバイル受信機である、請求項１４に記載の受信機。
【請求項１６】
請求項１から７のいずれか１項に記載の送信構成において用いられる受信機であって、
ａ．前記第１のブロードキャスト送信信号を受信するための入力端子と、
ｂ．前記第１のブロードキャスト送信信号の情報パケットにおいて第１の情報ブロックを検出し、それに応答して制御信号を生成するための検出ユニットと、
ｃ．前記制御信号に応答して、情報パケットの前記第１の情報ブロックを格納するための送信メモリと、
ｄ．特定の時間間隔だけ前記制御信号を遅延させるための遅延ユニットと、
ｅ．前記送信メモリに格納された前記情報ブロックを前記第２のブロードキャスト送信信号の情報ブロックとして供給するための出力端子と、
を備え、
前記送信メモリは、遅延化された前記制御信号に応答して、前記メモリに格納された情報ブロックを前記出力端子に供給する、受信機。
【請求項１７】
前記受信機は、前記受信機の位置において、前記第１のブロードキャスト送信信号の前記複数の第１の情報パケットの前記複数の第２の情報ブロックと実質的に時を同期する前記第２のブロードキャスト送信信号の前記複数の情報ブロックを送信する、請求項１６に記載の受信機。
【請求項１８】
前記検出ユニットは、前記第１のブロードキャスト送信信号の前記複数の第１の情報パケットの前記複数の第１の情報ブロックに割り当てられた複数のフラグを検出し、これに応答して前記制御信号を生成する、請求項１６または１７に記載の受信機。
【請求項１９】
前記遅延ユニットは、第１の時間間隔だけ一度、及びさらに第２の時間間隔だけ、前記制御信号をさらに遅延させ、前記送信メモリは、前記第１の時間間隔だけ遅延化された制御信号に応答して、かつ、さらに前記第２の時間間隔だけ遅延化された制御信号に応答して、前記メモリに格納された情報ブロックを、前記出力端子に２回供給する、請求項１６に記載の受信機。
【請求項２０】
前記受信機は、送信機アンテナを備える、請求項１４から１９のいずれか１項に記載の受信機。
【請求項２１】
前記第１の時間間隔は、前記第２の時間間隔と等しい、請求項１１に記載のメイン送信機または請求項１９に記載の受信機。
【発明の詳細な説明】
【技術分野】
【０００１】
本発明は、メインクレームのプリアンブルに記載の送信構成に関する。本発明は、さらに、送信構成のメイン送信機及び受信機に関する。
【０００２】
メインクレームのプリアンブルに記載の送信構成は、ＥＰ−２２０９２７８Ａ１から公知である。この公知の送信構成は、１つまたはそれより多くのメイン送信機を備え、これらは、単一周波数ネットワーク（ＳＦＮ）を形成する。
【背景技術】
【０００３】
メディアユーザは、フットボールの国際試合のような現在行われているイベントについて、追加の情報を望むことが多い。これは、例えば、インターネット（Ｐ２Ｐ）を介して得ることができる。多数のユーザが同じ時刻に（同じ位置にある）同じコンテンツを呼び出す場合、ブロードキャスト送信は、より経済的である。
【０００４】
（無線提供のための）空間分布が、基地局（メイン送信機）を用いて行うことがもはや不可能な場合、無線ブロードキャストは、上述された特許出願においても説明されているように、当該ネットワークにおいて、ＳＦＮ（単一周波数ネットワーク）を用いることが多い。
【発明の概要】
【０００５】
本発明の目的は、送信構成の改善を提案することである。
【０００６】
メインクレームのプリアンブルに記載の送信構成は、メインクレームの特徴部に従ってさらに特徴付けられる。 送信構成の複数の有益な実施形態は、従属請求項２から７において特徴付けられる。送信構成のメイン送信機は、請求項８から１３に従って特徴付けられる。送信構成の受信機は、請求項１４から２０のいずれか１項に従って特徴付けられる。
【０００７】
添付された特許請求の範囲の全ては、本説明の不可欠な部分とみなされる。
【０００８】
以下の発明の概念は、本発明の基礎を形成する。
【０００９】
無線提供（ＬＴＥブロードキャストモードのような）の拡張は、既に上述されたように、ＳＦＮモードのさらなる複数の基地局（メイン送信機）を接続することによって実現可能である。これらの基地局は、同じ利用可能なデータを有さなければならず、かつ、このデータを経時的に同期して送信しなければならない。概して、複数の基地局は、ケーブル接続を介して供給される。これらの基地局（メイン送信機）は、次に、固定されたものとして見られなければならない。受信エリアをより柔軟に変更することが可能となるように、本発明に係る複数の端末（受信ユニット）の設置が提案される。メイン送信機は、複数の情報パケットを送信し、その各々は、ブロードキャスト送信信号として、少なくとも２つの（ほぼ）同一の情報ブロックからなる。メイン送信機は、複数の情報ブロックのうち第１のものに対して、ある情報パケットにラベル（「フラグ」）を付すことができ、これは、この情報ブロックが情報パケットのうち第１のものであると特定する。
【００１０】
受信機がより幾分インテリジェントな場合、フラグは、なくてもよい。同期段階の連続的なパケットは、比較可能であり、従って、第１の情報パケットの第１の情報ブロックがどの点で適時に到着するかを学習することができる。
【００１１】
受信機（端末）は、第１のブロードキャスト送信信号の第１の情報パケットの第１の情報ブロックを受信し、これを送信メモリに保存する。（受信されたブロックは、これと並列して受信機に保存され、標準通りに処理されることができる。）受信機は、この情報ブロックを第２の送信信号として再送信可能である。情報ブロックのこの送信は、メイン送信機の第１及び第２のブロックの送信の間でオフセットされた時間に従って設定された間隔の後で、行われる。メイン送信機によって送信される第２の情報ブロックと、受信機（端末）によって送信される、同様のコンテンツを有する情報ブロックとは、そのため、オーバラップする。
【００１２】
つまり、メイン送信機の範囲は、受信機（端末）の範囲によって拡大可能である。
【００１３】
ＷＯ２０１２／１２６８２８及びＷＯ２００９／０６７９３０は、基地局及び１つまたは複数の固定中継局から構成される単一周波数ネットワークを確立する手段を開示することに留意されたい。ＷＯ２０１２／１２６８２８において、これは、最初に、ユニキャストチャネルを介して情報のブロックを１つまたは複数の中継局に送信し、その後、基地局及び１つまたは複数の中継局の両方によって、ブロードキャスト送信チャネルを介して情報の同じブロックをモバイルユーザ端末に送信することによって、実現される。しかしながら、公報の主要なトピックは、ＳＦＮを確立するために、基地局と、基地局に知られているべき１つまたは複数の固定中継局との間で適切なタイミングを確立することである。しかしながら、公知の送信機は、第１のブロードキャスト送信信号を、後続の複数の第１の情報パケットの形で送信せず、後続の複数の第１の情報パケットは、実質的に同じ情報を含む少なくとも２つの後続の情報ブロックを備え、ここで、ブロードキャスト送信範囲は、複数のモバイル受信機によって拡張されてもよい。
【図面の簡単な説明】
【００１４】
本発明は、以下の図面の説明において、いくつかの実施形態を参照して詳細に説明される。
【００１５】
【図１】送信構成の第１の実施形態を示す。
【００１６】
【図２】メイン送信機及び受信機の第１及び第２の送信信号の実施形態を模式的に示す。
【００１７】
【図３】第１の送信信号の情報パケットの第２の実施形態を模式的に示す。
【００１８】
【図４】本発明の受信機の実施形態を示す。
【００１９】
【図５】２つの送信信号のオーバラップを模式的に示す。
【００２０】
【図６】本発明に係るメイン送信機の実施形態を示す。
【００２１】
【図７】メイン送信機における第１のブロードキャスト送信信号の生成を模式的に示す。
【００２２】
【図８】第１のブロードキャスト送信信号の複数の第１の情報パケットが３つの情報ブロックを含み、第２のブロードキャスト送信信号の複数の第２の情報パケットが２つの情報ブロックを含む実施形態を示す。
【００２３】
【図９】送信構成の第２の実施形態を示す。
【００２４】
【図１０】メイン送信機の第２の実施形態における、他の第１の送信信号の生成を模式的に示す。
【発明を実施するための形態】
【００２５】
図１は、第１の送信信号を送信するための本発明に係る送信構成の実施形態を示す。送信構成は、メイン送信機１００を備え、これは、受信エリア１０４において第１のブロードキャスト送信信号１０２を送信する。第１のブロードキャスト送信信号１０２は、一連の情報パケット（ＩＰＭＴ１、ＩＰＭＴ２、ＩＰＭＴ３…）であり、少なくとも２つの情報ブロックを含む。図２の（ａ）に示されるように、ＩＰＭＴ２のような複数の情報パケットは、２つの連続的な情報ブロックＩＢＭＴ２．１及びＩＢＭＴ２．２を含む。情報パケットの（少なくとも）２つの情報ブロックは、本質的に、同じ情報を含む。ＭＴという略語は、「メイン送信機」を表す。
【００２６】
本発明に係る送信構成は、さらに、少なくとも１つの受信機（「端末」）を備える。１つの受信機１０６のみが、図１に示される。受信機１０６は、第１のブロードキャスト送信信号１０２を受信するために設置され、第１の送信信号を受信したことに応答して、受信エリア１１２にわたって第２のブロードキャスト送信信号１１０を送信することも可能である。従って、受信機は、さらに後述されるように、第１の送信信号の「中継局」として動作する。受信機１０６は、モバイル受信機、好ましくは、携帯電話の形態であってもよい。
【００２７】
第２のブロードキャスト送信信号の実施形態が、図２の（ｂ）に示される。第２のブロードキャスト送信信号１１０は、情報パケットＩＰＲＳ１、ＩＰＲＳ２、ＩＰＲＳ３…によって形成され、これらは、少なくとも１つの情報ブロックを含む。図２の（ｂ）に示されるように、複数の情報パケットＩＰＲＳｉは、１つの情報ブロックＩＢＲＳｉのみを含む。ＲＳという略語は、「中継局」を表す。
【００２８】
第２のブロードキャスト送信信号１１０の複数の情報パケットＩＰＲＳｉは、概して、第１のブロードキャスト送信信号１０２の複数の情報パケットＩＰＭＴｉと同じ長さである。
【００２９】
情報パケットＩＰＲＳｉの複数の情報ブロックＩＢＲＳｉは、概して、第１の送信信号の情報ブロックＩＢＭＴｉ．１及びＩＢＭＴｉ．２と同じ長さである。情報ブロックＩＢＲＳｉは、概して、情報ブロックＩＢＭＴｉ．１及びＩＢＭＴｉ．２と同じ情報を含む。
【００３０】
さらに、受信機１０６は、第１のブロードキャスト送信信号１０２の複数の第１の情報パケットＩＰＭＴｉの複数の第２の情報ブロックＩＢＭＴｉ．２の受信機への到着が、第２のブロードキャスト送信信号１１０の複数の第２の情報パケットＩＰＲＳｉの複数の情報ブロックＩＢＲＳｉの受信機による送信と少なくとも概ね同時となるような態様で、第２のブロードキャスト送信信号１１０を適時に送信するために設けられる。このことは、図２からわかる。
【００３１】
さらに、受信機１０６は、同時の第２のブロードキャスト送信信号の複数の第２の情報パケットの複数の情報ブロックＩＢＲＳｉと第１のブロードキャスト送信信号１０２の複数の第１の情報パケットの複数の第２の情報ブロックＩＢＭＴｉ．２とが、受信機１０６の受信エリア１１２の位置Ｐにおいて構成的にオーバラップするような態様及び段階で、第２のブロードキャスト送信信号１１０を適時に送信するために設けられる。ここで、位置Ｐは、現在のカバレージエリア内（例えば、メイン送信機の影になる位置における受信の改善）及びメイン送信機のカバレージエリア外の両方に位置することができ、一方で、図１も参照されたい。このことは、図５を参照して、より詳細に後述される。
【００３２】
第１のブロードキャスト送信信号１０２の他の実施形態が、図３に示され、ここでは参照番号３０２によって示される。本実施形態において、フラグＦ１は、第１の情報パケットＩＰＭＴｉの第１の情報ブロックＩＢＭＴｉ．１に割り当てられ、これを情報パケットＩＰＭＴｉの第１の情報ブロックとして特定する。このフラグは、受信機において、情報パケットの第１の情報ブロックを検出するために用いられる。このことは、図４に示されるように、受信機の実施形態４０６を参照してより詳細に説明される。
【００３３】
図４は、第１のブロードキャスト送信信号３０２を受信するための第１のアンテナ装置４１０を示す。本発明に係る複数の構成は、アンテナ装置４１０中に位置しないため、アンテナ装置４１０は、本発明に係る受信機の一部である必要はない。デコーダユニット４１２は、受信された第１の情報パケットＩＰＭＴｉの情報コンテンツに含まれる。デコードされた出力信号は、受信機の出力４１４において準備される。
【００３４】
受信機は、検出ユニット４１６及び送信メモリ４１８をさらに含む。検出ユニット４１６は、情報パケットＩＰＭＴｉの第１の情報ブロックＩＢＭＴｉ．１を認識し、情報パケットＩＰＭＴｉの第１の情報ブロックＩＢＭＴｉ．１を検出したことに応答して制御信号を生成する。この検出は、例えば、第１のブロードキャスト送信信号の２つの連続的な情報ブロックのコンテンツを互いに比較することによって、実現可能である。制御信号は、類似性が検出された場合に生成される。この潜在的な検出は、送信信号の中にフラグが存在しない場合に実行される。検出は、どの制御信号が生成されたかに応答して、第１の送信信号の複数のフラグを検出することによっても実現可能である。これらの制御信号は、検出ユニット４１６の出力部４２０に与えられ、メモリ４１８の制御入力部４２２に供給される。
【００３５】
この目的のために、第１のアンテナ装置４１０の出力端子４２４は、検出ユニット４１６の入力部及びメモリ４１８の入力端子４２６とさらに連結される。制御信号に応答して、情報パケットＩＰＭＴｉの第１の情報ブロックＩＢＭＴｉ．１は、メモリ４１８に保存される。検出ユニット４１６からの制御信号は、遅延ユニット４２８にさらに供給され、ここで、時間間隔Ｔだけ遅延化される。時間Ｔは、図３において与えられ、情報パケットの２つの情報ブロック間の時間間隔に対応する。メモリ４１８の制御入力端子４３２において遅延線４２８によって与えられる、Ｔだけ遅延化された制御信号に応答して、このメモリ４１８は、そのコンテンツを（必要な場合には信号を増幅した後で）送信アンテナ４３０に発信し、従って、第２のブロードキャスト送信信号１１２の情報パケットＩＢＲＳｉは、アンテナ４３０によって送信される。ここで、本発明に係る複数の構成は、送信アンテナ中に位置しないため、送信アンテナ４３０は、本発明に係る受信機の一部である必要はない場合もある。
【００３６】
ここで、図４の受信機が、位置Ｐ（図１参照）、すなわち、メイン送信機１００の受信エリア１０４外に位置し、図５の（ｄ）に示されるように、受信機が送信信号を受信する場合、これは、１つの情報ブロックのみが情報パケットに含まれることを検出することに、さらに留意されたい。この状況が受信機によって検出された場合、この情報ブロックは、送信メモリ４１８にはこれ以上保存されないが、デコーダユニット４１２においてデコードのみ行われる。
【００３７】
図５は、メイン送信機１００及び受信機１０６からの信号のオーバラップを模式的に示す。図５の（ａ）は、第１のブロードキャスト送信信号の第１の情報パケットＩＰＭＴｉがメイン送信機１００によって送信される状態を示す。信号は、図５の（ａ）においてＡ１で示される特定の振幅レンジを有する。受信機１０６（図１）の位置で受信された出力は、まだＡ２である（図５の（ｂ））。明らかに、Ａ２がＡ１より小さいことがわかる。受信機は、第２の送信信号の第２の情報パケットＩＰＲＳｉを生成し、これが、図５の（ｃ）において示される。受信機から受信される、第１のブロードキャスト送信信号の複数の第１の情報パケットの第１の情報ブロックＩＢＭＴｉ．１のそれぞれは、増幅され、複数の情報ブロックＩＢＲＳｉとして、第２の送信信号としての複数の第２の情報ブロックＩＢＭＴｉ．２と経時的に同期して送信される。複数の情報ブロックＩＢＲＳｉの振幅レンジは、図５の（ｃ）に示されるように、Ａ３である。明らかに、Ａ３は、Ａ２より大きいことがわかる。Ａ３は、Ａ１がほぼ実現可能なように、例えば、受信機１０６で増幅されてもよい。
【００３８】
ここで、図１の位置Ｐにある受信機を検討する。位置Ｐにおいては、当該位置が受信エリア１０４外または内の受信状況が好ましくないポイント（隠れノード）にあることのいずれかにより、受信が不可能であると仮定する。受信機は、図５の（ｄ）に示されるように、オーバラップ信号を検出する。第１の情報ブロックの送信中に、位置Ｐにある受信機は、振幅レンジＡ４を有する減衰させられた第１のブロードキャスト送信信号を検出する。このことは、図５の（ｄ）（左側）において、Ａ４が次にはＡ２より小さくなることからわかる。振幅レンジＡ５を有する第２の情報ブロックは、情報ブロックＩＢＭＴｉ．２及びＩＢＲＳｉの構成的なオーバラップによって形成される。
【００３９】
振幅レンジＡ２は、良好な受信を保証できる程度にまだ十分大きいが、しかしながら、振幅レンジＡ４は、このためには小さすぎると仮定する。従って、第２の送信信号とのオーバラップがない場合、第１のブロードキャスト送信信号を位置Ｐにおいて正しく受信及び再送することは不可能である。第２の送信信号とのオーバラップによって、位置Ｐにある受信機は、良好な受信を保証する程度に十分大きい、ブーストされた振幅Ａ５を有する第２の情報ブロックを受信する。第１のブロードキャスト送信信号のカバレージエリアは、従って、拡大されている。
【００４０】
図６は、本発明に係る送信構成のメイン送信機の実施形態を示す。情報信号ソース６０２が、図６に示される。このソースは、メイン送信機から送信されるべき情報信号を与える。本発明に係る複数の構成は、ソース６０２の中に位置しないため、このソースは、メイン送信機の一部である必要はない。ソース６０２の出力部は、メイン送信機の入力端子６０４に連結される。入力端子６０４は、符号化ユニット６０６の入力部に連結される。符号化ユニット６０６の出力部は、遅延ユニット６０８及び多重化ユニット６１０の入力部に連結される。遅延ユニット６０８の出力部は、多重化ユニット６１０の入力部６１４に連結される。「フラグ信号」生成ユニット６２２は、多重化ユニット６１０の第３の入力部６１６に連結される出力部を備える。多重化ユニット６１０の出力部６２４は、メイン送信機６００の出力端子６２６に連結される。メイン送信機６００の様々なユニットを制御する制御ユニット６２０が、さらに提供される。メイン送信機６００の出力端子６１８は、送信アンテナ６２８に連結される。ここで、本発明に係る複数の構成は、送信アンテナの中に位置しないことから、送信アンテナ６２８は、本発明に係るメイン送信機の一部である必要がない場合もある。
【００４１】
図６のメイン送信機の動作方法は、図７を参照してさらに説明される。図７の（ａ）は、制御ユニット６２０（ＣＴＲＬ）からの制御信号への応答として、時間の関数としての「フラグ信号」生成ユニット６２２によって、生成された出力信号を示す。図７の（ｂ）は、制御ユニット６２０からの制御信号に応答して、時間の関数としての符号化ユニット６０６の出力信号を示す。図７の（ｃ）は、制御ユニット６２０からの制御信号に応答して、時間の関数としての遅延ユニット６０８の出力信号を示す。図７の（ｂ）および７ｃからわかるように、遅延ユニット６０８の情報ブロックＩＢＭＴｉ．１は、間隔Ｔだけ遅延されており、情報ブロックＩＢＭＴｉ．２としてその出力部において発信される。
【００４２】
図７の（ｄ）は、単純なトグルスイッチとして示される場合の多重化ユニット６１０の動作原理を示す。図７の（ｄ）は、時間の関数としてのこのスイッチの位置を示す。システムは、制御ユニット６２０によって制御される。最初に、スイッチ６１０は、フラグが出力端子６２６に位置するように、位置Ｉにある。その後、スイッチ６１０は、位置ＩＩにあり、情報パケットの第１の情報ブロックＩＢＭＴｉ．１が送信される。スイッチ６１０は、次に、位置ＩＩＩにあり、第２の情報ブロックＩＢＭＴｉ．２が送信される。複数の段階は、出力部において連続的なデータストリームが生じるように、繰り返される。
【００４３】
図８は、第１及び第２の送信信号の他の実施形態を示す。本実施形態において、第１の送信信号の第１の情報パケット…、ＩＰＭＴｉ、ＩＰＭＴｉ＋１…は、図８の（ａ）に示されるように、各々が、同じ情報コンテンツを有する３つの情報ブロックＩＢＭＴｉ．１、ＩＢＭＴｉ．２、ＩＢＭＴｉ．３を含む。第２の送信信号の第２の情報パケット…、ＩＰＲＳｉ、ＩＰＲＳｉ＋１…は、図８の（ｃ）に示されるように、各々が、同じ情報コンテンツを有し、かつ、情報ブロックＩＢＭＴｉ．１、ＩＢＭＴｉ．２、ＩＢＭＴｉ．３と同じ情報コンテンツを有する２つの情報ブロックＩＢＲＳｉ．１、ＩＢＲＳｉ．２を含む。これは、情報ブロックＩＢＭＴｉ．２及びＩＢＲＳｉ．１またはＩＢＭＴｉ．３及びＩＢＲＳｉ．２のペアは、概して、経時的に同期する場合である。
【００４４】
図９は、図８の（ａ）の第１のブロードキャスト送信信号がメイン送信機９００から振幅レンジＡ１で送信される態様を示す。第１のブロードキャスト送信信号は、図９において、参照番号９０２によって示される。メイン送信機９００の受信エリア９０４内にまだ位置する受信機９０６は、図８の（ｂ）に示されるように、減衰された振幅レンジＡ２で、第１のブロードキャスト送信信号９０２を受信する。受信機９０６は、図８の（ｃ）において、振幅レンジＡ３で第２のブロードキャスト送信信号９１０を生成する。一方、Ａ３は、例えば、Ａ１と同じであってもよい。
【００４５】
ここで、図８の（ｄ）は、メイン送信機９００及び受信機９０６からの信号のオーバラップを模式的に示す。ここで、図９の位置Ｐにある第２の受信機９１５を検討する。位置Ｐは、メイン送信機９００のカバレージエリア９０４外に位置するため、位置Ｐにおいて、第１のブロードキャスト送信信号の受信は不可能であると仮定する。第２の受信機９１５は、図８の（ｄ）に示されるように、オーバラップ信号を検出する。第１の情報ブロックの送信中に、受信機９１５は、振幅レンジＡ４を有する減衰させられた第１のブロードキャスト送信信号を検出する。このことは、図８の（ｄ）（左端）において、Ａ４が次にはＡ２より小さくなることからわかる。振幅レンジＡ５を有する第２及び第３の情報ブロック８１０および８１１は、複数の情報ブロックＩＢＭＴｉ．２（減衰させられた形の）及びＩＢＲＳｉ．１またはＩＢＭＴｉ．３（減衰させられた形の）及びＩＢＲＳｉ．２の構成的なオーバラップによって形成される。
【００４６】
第２の受信機９１５はメイン送信機９００の受信エリア外に位置するため、振幅レンジＡ４は、良好な受信を保証するには小さすぎる。従って、第２の送信信号とのオーバラップがない場合、第１のブロードキャスト送信信号を位置Ｐにおいて正しく受信及び再送することは不可能である。第２の送信信号とのオーバラップによって、位置Ｐの第２の受信機９１５は、良好な受信を保証するには十分大きい、ブーストされた振幅Ａ５を有する第２及び第３の情報ブロック８１０および８１１を受信する。
【００４７】
従って、第２の受信機９１５は、ブロック８１０および８１１を正しく受信し、図８の（ｅ）に示されるように、これに応答して、複数の情報パケット…、ＩＰＳＲＳｉ、ＩＰＳＲＳｉ＋１…を用いて第３の送信信号を生成することが可能である。これは、情報パケットＩＰＲＳｉ及びＩＰＳＲＳｉが、適時に同じ長さである場合である。これは、情報ブロックＩＢＭＴｉ．２及びＩＢＲＳｉ．１またはＩＢＲＳｉ．２及びＩＢＳＲＳｉが、概して、経時的に同期し、同じ情報コンテンツを有する場合である。
【００４８】
第２の受信機９１５は、受信された情報パケットの中で、８１０及び８１１のような２つの情報ブロックを、同じ情報コンテンツを有する複数の情報ブロックとして検出することが可能であり、それは、例えば、図８の（ａ）の複数の情報ブロック…ＩＢＭＴｉ．２、ＩＢＭＴｉ＋１．２…は、メイン送信機９００によってフラグＦ２（不図示）を備え、受信機は、このフラグＦ２を検出可能となるからである。
【００４９】
ここで、図８の（ｆ）は、図９の第２の受信機の受信エリア９１６内の位置Ｐ'における、メイン送信機９００及び第１ならびに第２の受信機９０６および９１５からの信号のオーバラップを模式的に示す。位置Ｐ'の受信機は、図８の（ｆ）に示されるように、オーバラップ信号を検出する。第１の情報ブロックの送信中に、受信機は、振幅レンジＡ７を有する、さらに一層減衰させられた第１のブロードキャスト送信信号を検出する。このことは、図８の（ｆ）（左端）において、Ａ７が次にはＡ４より小さくなることからわかる。振幅レンジＡ８を有する第２の情報ブロック８１３は、（さらに一層減衰させられた形の）情報ブロックＩＢＭＴｉ．２及び（減衰させられた形の）ＩＢＲＳｉ．１の構成的なオーバラップによって形成される。振幅レンジＡ９を有する第３の情報ブロック８１４は、情報ブロック（さらに一層減衰させられた形の）ＩＢＭＴｉ．３、（さらに減衰させられた形の）ＩＢＲＳｉ．２及び（減衰させられた形の）ＩＢＳＲＳｉの構成的なオーバラップによって形成される。
【００５０】
ここで、振幅レンジＡ９は、良好な受信を保証するためにはまだ十分大きいが、振幅レンジＡ７及びＡ８は、このためには小さすぎると仮定する。従って、第２の送信信号とのオーバラップがない場合、位置Ｐ'において、第１のブロードキャスト送信信号を正しく受信し、第１のブロードキャスト送信信号を正しく再送信することは、まだ不可能である。オーバラップによって、位置Ｐ'の受信機は、良好な受信を保証するためには十分大きい、ブーストされた振幅Ａ９を有する情報ブロック８１４を受信する。第１のブロードキャスト送信信号のカバレージエリアは、従って、次に、拡大される。
【００５１】
ここで、メイン送信機９００が第１のブロードキャスト送信信号に指示する態様が、図８の（ａ）に従って説明される。このことは、図６および１０を参照してさらに説明される。本実施形態において、複数のフラグが、第１の送信信号にさらに含まれ、フラグＦ１は、第１の情報パケットＩＰＭＴｉの第１の情報ブロックＩＢＭＴｉ．１を特定し、フラグＦ２は、第１の情報パケットＩＰＭＴｉの第２の情報ブロックＩＢＭＴｉ．２を特定すると、さらに仮定する。
【００５２】
図１０の（ａ）は、制御ユニット６２０からの制御信号（ＣＴＲＬ）への応答として、「フラグ信号」生成ユニット６２２によって、時間の関数として生成される出力信号を示す。図１０の（ｂ）は、制御ユニット６２０からの制御信号に応答する、時間の関数としての符号化ユニット６０６の出力信号を示す。図１０の（ｃ）は、制御ユニット６２０からの制御信号に応答する、時間の関数としての遅延ユニット６０８の出力信号を示す。図１０の（ｂ）および１０ｃからわかるように、情報ブロックＩＢＭＴｉ．１は、遅延ユニット６０８において、一度は間隔Ｔ１だけ、一度は間隔Ｔ２だけ遅延化され、その出力部において、情報ブロックＩＢＭＴｉ．２及びＩＢＭＴｉ．３として発信される。この場合、他のフラグＦ２が、第１の情報ブロックＩＢＭＴｉ．１と第２の情報ブロックＩＢＭＴｉ．２との間に挿入されるはずであるため、間隔Ｔ１及びＴ２は、互いに同じではない。フラグＦ２が含まれない実施形態においては、勿論、間隔Ｔ１及びＴ２は、等しい。
【００５３】
図１０の（ｄ）は、単純なトグルスイッチとして示される場合の多重化ユニット６１０の動作原理を示す。図１０の（ｄ）は、時間の関数として、このスイッチの位置を示す。システムは、制御ユニット６２０によって制御される。最初、スイッチ６１０は、位置Ｉにある。フラグＦ１は、「フラグ信号」生成ユニット６２２において生成され、多重化ユニット６１０の端子６１６に与えられ、従って、出力端子６２６において発信される。その後、スイッチ６１０は、位置ＩＩにある。情報パケットの第１の情報ブロックＩＢＭＴｉ．１は、送信され、遅延ユニット６０８にさらに保存される。この後、スイッチ６１０は、再び位置Ｉにある。フラグＦ２は、「フラグ信号」生成ユニット６２２（図１０の（ａ）参照）において生成され、多重化ユニット６１０の端子６１６に与えられ、従って、出力端子６２６において発信される。この後、多重化ユニット６１０のスイッチは、位置ＩＩＩにあり、Ｔ１に１回目の遅延をさせられた情報ブロックＩＢＭＴｉ．１は、多重化ユニット６１０の端子６１４において、情報ブロックＩＢＭＴｉ．２として遅延ユニット６０８によって発信され、次に、送信される。ここで、さらに、Ｔ２に２回目の遅延をさせられた情報ブロックＩＢＭＴｉ．１が、情報ブロックＩＢＭＴｉ．３として遅延ユニット６０８によって発信及び送信されるように、多重化ユニット６１０は、位置ＩＩＩに残る。複数の段階は、出力部において連続的なデータストリームが生じるように、繰り返される。
【００５４】
既に上述されたように、複数のフラグは、受信機において情報ブロックを特定するために必ずしも必要ではない。複数の連続的な情報ブロックの情報コンテンツを比較することによって、複数の連続的な情報ブロックが同じ情報コンテンツを有するか否かを決定することも可能である。さらに、フラグＦ１及びＦ２のような複数のフラグが、図１０の（ａ）を参照して上述されたように位置する場合、これらのフラグＦ１及びＦ２は、必ずしも異なるものでなくてもよいことに留意されたい。
【００５５】
図９の受信機９０６および９１５が動作する態様は、これらが、図８の（ｂ）、８ｄおよび８ｆに示されるように複数のブロードキャスト送信信号を正しく受信し、かつ、必要な場合には、これらをさらに処理することが可能なように、ここで説明される。受信機のスイッチの概要は、図４に示されるように、より詳細な説明のために用いられる。
【００５６】
受信機９０６および９１５の実施形態における遅延ユニット４２８は、検出ユニット４１６からの制御信号を２回遅延させるように、異なるように構成され、各回は、フラグが存在しない場合には間隔Ｔだけ、または、複数のフラグが受信された信号の中に存在する場合には間隔Ｔ１、及び次にはさらに間隔Ｔ２だけ離されることを可能にするという効果を有する。同様に、検出ユニット４１６は、同じコンテンツを有する３つの情報ブロックが情報パケットに存在する（図８の（ｂ）の状況）か否か、同じコンテンツを有する２つの情報ブロックが情報パケットに存在（図８の（ｄ）の状況）か否か、または、１つの情報ブロックのみが情報パケットに存在する（図８の（ｆ）の状況）か否かを検出可能なように、異なるように構成される。既に上述されたように、これら３つの状況は、複数のフラグの検出に基づいて、または、フラグが存在しない場合には、複数の情報ブロックのコンテンツを比較することによって、検出可能である。
【００５７】
受信機が、図８の（ｂ）に示されるようなブロードキャスト送信信号が受信されたことを決定する場合、情報パケットの第１の情報ブロックは、送信メモリ４１８に保存される。これに続いて、間隔Ｔ（またはＴ１）だけ一度遅延化された制御信号は、この間隔Ｔ（またはＴ１）だけ一度遅延化された情報ブロックが遅延ユニット４１８によって（必要な場合は信号を増幅した後で）送信アンテナ４３０に与えられるように、送信メモリ４１８に供給される。この後、間隔Ｔだけ（または追加の間隔Ｔ２だけ）もう一度遅延化された制御信号は、この間隔Ｔだけ（または間隔Ｔ１＋Ｔ２だけ）２回遅延化された情報ブロックが遅延ユニット４１８によって（必要な場合は信号を増幅した後で）送信アンテナ４３０に与えられるように、送信メモリ４１８に供給される。この結果、送信信号は、図８の（ｃ）に示されるようになる（Ｔ１＝Ｔ２）。
【００５８】
受信機は、図８の（ｄ）に示されるような送信信号が受信されたと決定する場合に、受信された情報パケットの第１の情報ブロック（すなわち、情報ブロック８１０であるが、それは、図８の（ｄ）に示される振幅Ａ４の情報ブロックは、正しく受信されるには小さすぎるため）は、送信メモリ４１８に保存される。これに続いて、間隔Ｔ（またはＴ２）だけ一度遅延化された制御信号は、この間隔Ｔ（またはＴ２）だけ一度遅延化された情報ブロックが、遅延ユニット４１８によって（必要な場合には信号を増幅した後で）送信アンテナ４３０に与えられるように、送信メモリ４１８に供給される。この結果、送信信号は、図８の（ｅ）に示されるようになる。
【００５９】
受信機が、図８の（ｆ）に示されるような送信信号が受信されたと決定する場合、受信された情報パケットの第１の情報ブロック（すなわち、情報ブロック８１４であるが、これは、図８の（ｆ）に示される振幅Ａ７及びＡ８の情報ブロックは、正しく受信されるには小さすぎるからである）は、デコーダユニット４１２においてデコードのみされる。
【００６０】
本発明の多くの変更、変形、変形及び他の用途及び適用は、その複数の好ましい実施形態を開示する明細書及び添付の複数の図面を考慮した後、当業者に明らかとなる。このような複数の変更、変形、変形及び他の用途及び適用の全ては、本発明の範囲から逸脱するものではなく、本発明に包含されるものとみなされる。
【００６１】
複数の好ましい実施形態の様々な形で説明された複数の要素及び複数の特徴は、本発明の範囲から逸脱することなく、相互に組み合わせられ得る。
【００６２】
当業者であれば、上述の説明の教示から始めて本発明を実施することが可能であるため、さらなる実装の詳細は説明されない。
【図１】
2016513897.tif 000003
【図２】
2016513897.tif 000004
【図３】
2016513897.tif 000005
【図４】
2016513897.tif 000006
【図５】
2016513897.tif 000007
【図６】
2016513897.tif 000008
【図７】
2016513897.tif 000009
【図８】
2016513897.tif 000010
【図９】
2016513897.tif 000011
【図１０】
2016513897.tif 000012
【国際調査報告】
2016513897.tif 000013
2016513897.tif 000014